(57)【特許請求の範囲】
【請求項１】
胴部より口頸部（12）を起立するとともに、口頸部（12）外周に係止用突条（14）を突周設した容器体（Ａ）と、口頸部（12）外周に嵌合させた周壁（20）の上端縁より頂壁（21）を延設した伏せ皿状をなし、周壁（20）内周に突周設した係合用突条（22）を係止用突条（14）に乗り越え係合させたキャップ（Ｂ）とを備え、口頸部（12）の頂部とキャップ（Ｂ）下面との間に、口頸部（12）内外を遮断し、キャップ（Ｂ）の容器体（Ａ）に対する上昇により開放されるシール部（ｓ）を設け、シール部（ｓ）敷設位置から口頸部（12）とキャップ周壁（20）との間を通り、キャップ周壁（20）下端より外部へ連通する通気路（ｐ）を形成し、係止用突条（14）及び係合用突条（22）の少なくとも一方を柔軟で弾力性に富む材質で形成してなり、キャップ周壁（20）の内周に環状の嵌合凹部（16）を形成し、嵌合凹部（16）に嵌合させた環状の嵌合基部（30）内面に係合用突条（22a ）を一体に突周設するとともに、柔軟で弾力性に富む材質で形成した突条形成部材（Ｃ）を設けて構成したことを特徴とする圧力調整容器。
【請求項２】
胴部より口頸部（12）を起立するとともに、口頸部（12）外周に係止用突条（14）を突周設した容器体（Ａ）と、口頸部（12）外周に嵌合させた周壁（20）の上端縁より頂壁（21）を延設した伏せ皿状をなし、周壁（20）内周に突周設した係合用突条（22）を係止用突条（14）に乗り越え係合させたキャップ（Ｂ）とを備え、口頸部（12）の頂部とキャップ（Ｂ）下面との間に、口頸部（12）内外を遮断し、キャップ（Ｂ）の容器体（Ａ）に対する上昇により開放されるシール部（ｓ）を設け、シール部（ｓ）敷設位置から口頸部（12）とキャップ周壁（20）との間を通り、キャップ周壁（20）下端より外部へ連通する通気路（ｐ）を形成し、係止用突条（14）及び係合用突条（22）の少なくとも一方を柔軟で弾力性に富む材質で形成してなり、口頸部（12）の外周に環状の嵌合凹部（24）を形成し、嵌合凹部（24）に嵌合させた嵌合基部（30）外面に係止用突条（14a ）を一体に突周設するとともに、柔軟で弾力性に富む材質で形成した突条形成部材（Ｃ）を設けて構成したことを特徴とする圧力調整容器。
【請求項３】
シール部（ｓ）を、キャップ頂壁（21）裏面周縁部に垂設したシール筒（23）を口頸部（12）内周上端部に密嵌させた第１シール部（s1）と、キャップ頂壁（21）裏面周縁部を口頸部（12）上面に密接した第２シール部（s2）とで構成した請求項１又は請求項２のいずれか一項に記載の圧力調整容器。
【請求項４】
通気路（ｐ）を、突条形成部材（Ｃ）対向位置に設けた係止用突条（14）と係合用突条（22）との係合部位上下を連通する通気用凹部（15）又は（25）と、口頸部（12）とキャップ周壁（20）との隙間とで構成した請求項１乃至請求項３のいずれか一項に記載の圧力調整容器。
【発明の詳細な説明】
【技術分野】
【０００１】
本発明は圧力調整容器に関する。
【背景技術】
【０００２】
内圧の上昇を排気路を通して解消するガス抜きキャップを備えた容器が提案されている。（例えば、特許文献１を参照）
【０００３】
特許文献１に記載されたガス抜きキャップは、頂板と側周壁とからなり、パッキンを介して容器口部に被嵌することができ、頂板は可撓性を有する薄肉に形成されており、周縁に沿って浅いＶ字形の凹部が配設されている。凹部の底部下面は、口部の端面中間部の上方に位置するようになっている。また、側周壁の内周上端はパッキンを保持する支持部が形成され、その下端には、膨出環が設けられ、支持部の下面には、口部のねじに螺合するねじが螺設されている。そして、容器を開封した後再びキャップを被嵌し、内容液を長期に保存しておくと、内溶液の変化、発酵などによって、内圧が上昇し一定の圧力に達すると、内圧によってパッキンが押し上げられ、パッキンの上面が頂板凹部の底部下面を押し上げることになる。底部下面は側周壁と頂板の接続縁を支持部として上方に廻動し、頂板は、薄肉で可撓性があるので、凹部が全体として変形し、頂板の中央部が上昇する。そのことによって、パッキンと口部天面との間に間隙ができ、容器内のガス、空気が排出される。
【先行技術文献】
【特許文献】
【０００４】
【特許文献１】特開２００３−０７２８１５号公報
【発明の概要】
【発明が解決しようとする課題】
【０００５】
従来のガス抜きキャップを用いた容器は、内圧の上昇を外部へのガス抜きという形で解消でき、一定の内圧を維持できるので、容器の破損、変形等を防止できる優れたものである。
【０００６】
本発明は同様に容器体内の内圧の上昇を外部へのガス抜きという形で解消できて容器の破損，変形等を防止でき、しかも、口頸部とキャップとのシール部分の形態も多様に対応できる圧力調整容器を提案する。
【課題を解決するための手段】
【０００７】
第１の手段として、以下の通り構成した。即ち、胴部より口頸部12を起立するとともに、口頸部12外周に係止用突条14を突周設した容器体Ａと、口頸部12外周に嵌合させた周壁20の上端縁より頂壁21を延設した伏せ皿状をなし、周壁20内周に突周設した係合用突条22を係止用突条14に乗り越え係合させたキャップＢとを備え、口頸部12の頂部とキャップＢ下面との間に、口頸部12内外を遮断し、キャップＢの容器体Ａに対する上昇により開放されるシール部ｓを設け、シール部ｓ敷設位置から口頸部12とキャップ周壁20との間を通り、キャップ周壁20下端より外部へ連通する通気路ｐを形成し、係止用突条14及び係合用突条22の少なくとも一方を柔軟で弾力性に富む材質で形成してなり、キャップ周壁20の内周に環状の嵌合凹部16を形成し、嵌合凹部16に嵌合させた環状の嵌合基部30内面に係合用突条22a を一体に突周設するとともに、柔軟で弾力性に富む材質で形成した突条形成部材Ｃを設けて構成した。
【０００８】
第２の手段として、以下の通り構成した。即ち、胴部より口頸部12を起立するとともに、口頸部12外周に係止用突条14を突周設した容器体Ａと、口頸部12外周に嵌合させた周壁20の上端縁より頂壁21を延設した伏せ皿状をなし、周壁20内周に突周設した係合用突条22を係止用突条14に乗り越え係合させたキャップＢとを備え、口頸部12の頂部とキャップＢ下面との間に、口頸部12内外を遮断し、キャップＢの容器体Ａに対する上昇により開放されるシール部ｓを設け、シール部ｓ敷設位置から口頸部12とキャップ周壁20との間を通り、キャップ周壁20下端より外部へ連通する通気路ｐを形成し、係止用突条14及び係合用突条22の少なくとも一方を柔軟で弾力性に富む材質で形成してなり、口頸部12の外周に環状の嵌合凹部24を形成し、嵌合凹部24に嵌合させた嵌合基部30外面に係止用突条14a を一体に突周設するとともに、柔軟で弾力性に富む材質で形成した突条形成部材Ｃを設けて構成した。
【０００９】
第３の手段として、以下の通り構成した。即ち、前記第１の手段又は第２の手段のいずれか一つの手段に於いて、シール部ｓを、キャップ頂壁21裏面周縁部に垂設したシール筒23を口頸部12内周上端部に密嵌させた第１シール部s1と、キャップ頂壁21裏面周縁部を口頸部12上面に密接した第２シール部s2とで構成した。
【００１１】
第４の手段として、以下の通り構成した。即ち、前記第１の手段乃至第３の手段のいずれか一つの手段に於いて、通気路ｐを、突条形成部材Ｃ対向位置に設けた係止用突条14と係合用突条22との係合部位上下を連通する通気用凹部15又は25と、口頸部12とキャップ周壁20との隙間とで構成した。
【発明の効果】
【００１２】
本発明によれば、容器体Ａ内の内圧の上昇を外部へのガス抜きという形で解消できて容器の破損，変形等を防止でき、しかも、口頸部とキャップとのシール部分の形態も多様に対応できる利点を兼ね備えている。即ち、シール部ｓは、口頸部12の頂部とキャップＢ下面との間に、口頸部12内外を遮断し、キャップＢの容器体Ａに対する上昇により開放される構成であるため、種々の形態のシール部ｓを採用でき汎用性に富んだものとなっている。
【００１３】
シール部ｓを、キャップ頂壁21裏面周縁部に垂設したシール筒23を口頸部12内周上端部に密嵌させた第１シール部s1と、キャップ頂壁21裏面周縁部を口頸部12上面に密接した第２シール部s2とで構成した場合には、シール部分が二重シール構造であるため常時は充分な気密性，液密性を得られ、また、容器体Ａの内圧が上昇した際には第２シール部s2は容易に離脱するため二重シール構造であってもシール部ｓの円滑な開放が可能である。
【００１４】
キャップ周壁20の内周に環状の嵌合凹部16を形成し、嵌合凹部16に嵌合させた環状の嵌合基部30内面に係合用突条22a を一体に突周設するとともに、柔軟で弾力性に富む材質で形成した突条形成部材Ｃを設けて構成した場合には、嵌合凹部16外面のキャップ周壁20により突条形成部材Ｃの余分な変形を規制することができ、その結果、内圧でキャップＢが上昇した際には係合用突条22a 部分のみが適正に弾性変形して上昇し、内圧減圧後には迅速に元の状態への下降が可能となる。
【００１５】
口頸部12の外周に環状の嵌合凹部24を形成し、嵌合凹部24に嵌合させた嵌合基部30外面に係止用突条14a を一体に突周設するとともに、柔軟で弾力性に富む材質で形成した突条形成部材Ｃを設けて構成した場合も同様に、口頸部12により突条形成部材Ｃの余分な変形を規制することができ、その結果、内圧でキャップＢが上昇した際には係止用突条14a 部分のみが適正に弾性変形して上昇し、内圧減圧後には迅速に元の状態への下降が可能となる。
【００１６】
通気路ｐを、突条形成部材Ｃ対向位置に設けた係止用突条14と係合用突条22との係合部位上下を連通する通気用凹部15又は25と、口頸部12とキャップ周壁20との隙間とで構成した場合には、通気用凹部15又は25が形成されている部分が弾性変形をしないため、通気路ｐが途中で狭くなったり、甚だしい場合に遮断されたりする等の虞がなく、円滑な外気の排出を行える。
【図面の簡単な説明】
【００１７】
【図１】圧力調整容器の半断面図である。（実施例１）
【図２】図１圧力調整容器の作用を説明する説明図てある。（実施例１）
【図３】図２（ａ）のＸ−Ｘ線に沿う横断面図である。（実施例１）
【図４】圧力調整容器の半断面図である。（実施例２）
【図５】図４の圧力調整容器の作用を説明する説明図てある。（実施例２）
【図６】図５（ａ）のＹ−Ｙ線に沿う横断面図である。（実施例２）
【図７】圧力調整容器の要部拡大断面図である。（実施例３）
【図８】圧力調整容器の要部拡大断面図である。（実施例４）
【図９】圧力調整容器の要部拡大断面図である。（実施例５）
【図１０】圧力調整容器の要部拡大断面図である。（実施例６）
【図１１】圧力調整容器の要部拡大断面図である。（実施例７）
【発明を実施するための形態】
【００１８】
以下、本発明の形態を図面を参照して説明する。
【００１９】
図１乃至図３は圧力調整容器１の一例を示す。圧力調整容器１は、容器体ＡとキャップＢとを備えている。
【００２０】
容器体Ａは合成樹脂等により形成されたもので、筒状の胴部10上に上向き段部11を介して外周面を小径化した口頸部12を起立して構成している。口頸部12の内周上端部は環状の凹部13を形成して大径化しており、口頸部12の外周には係止用突条14を突周設している。係止用突条14には通気路を構成する通気用凹部15を周方向複数穿設している。
【００２１】
キャップＢは、周壁20の上端縁より頂壁21を延設した伏せ皿状をなし、周壁20の上部を、内周面が小径をなす、小径部20a に、下端部を、内周面が大径をなす、大径部20b にそれぞれ形成しており、大径部20b の内面の上下方向所定位置に係合用突条22を突周設している。
【００２２】
また、容器体Ａの口頸部12の頂部とキャップＢ下面との間に内外を遮断するシール部ｓを備えている。本例に於けるシール部ｓは、キャップ頂壁21裏面より垂設したシール筒23を口頸部12の環状の凹部13下方位置内面に密接する第１シール部s1と、シール筒23の外方のキャップ頂壁21裏面と口頸部12上面とを圧接する第２シール部s2との二つのシール部分で構成されており、第１シール部s1を構成するシール筒23は下端部が内方に傾斜しており、キャップＢ装着時にシール筒23が口頸部12内面に容易に圧接する如く構成するとともに、キャップＢが内圧で上昇した際には環状の凹部13位置において口頸部12との間に通気に充分な隙間が設けられる如く構成している。
【００２３】
また、係合用突条22を柔軟で弾力に富む材質で形成している。柔軟で弾力性に富む材質としては、シリコーンゴムなどのエラストマー或いは軟質の合成樹脂等を使用することができる。本例では、キャップ周壁20に於ける小径部20a の下部から大径部20b に亘って内面及び下面を開口した環状の嵌合凹部16を凹設し、該嵌合凹部16に上記材質の突条形成部材Ｃを嵌着している。突条形成部材Ｃは、嵌合凹部16内に嵌着固定してキャップ周壁20の肉厚を再現する環状の嵌合基部30を備えている。嵌合基部30はキャップ周壁20の小径部20a 部分を再現する肉厚部30a とキャップ周壁20の大径部20b 部分を再現する肉薄部30b とを連設した環状をなし、インサート成形，接着，融着等の適宜固着手段により嵌合凹部16内に固定されている。そして、肉薄部30b 内面の上下中間部所定位置に上記材質で一体に形成された上記係合用突条22a を突設している。
【００２４】
また、圧力調整容器１は、シール部ｓの敷設位置から口頸部12とキャップＢとの間を通りキャップ周壁20下端より外部へ連通する通気路ｐを設けている。本例では、上記通気用凹部15により係止用突条14と係合用突条22との係合部位の上下を連通可能に構成し、この連通部位の上下に於ける口頸部12とキャップ周壁20とに隙間を設けて通気路ｐを構成している。
【００２５】
この様に構成された圧力調整容器１を使用する場合の作用を説明すると、図２(a) の状態で容器体Ａ内の内圧が上昇すれば、その圧力でキャップＢは上方に押圧される。その際、係合用突条22a は柔軟で弾力性に富む材質で形成されているため、図２(b) に示す如く、係合用突条22a が弾性変形してキャップＢは上方へ押し上げられてシール筒23の下部が環状の凹部13位置に上昇して第１シール部s1が開放されるとともに、キャップ頂壁21裏面が口頸部12上面との圧接を解除して上昇して第２シール部s2が開放され、シール部ｓのシールが解除される。そして、加圧気体は開放されたシール部ｓ部分を通り、通気路ｐを介して外部へ排出される。容器体Ａの内圧がキャップＢの押し上げが不能な所定圧になれば、係合用突条22の弾性復元力及び重力によりキャップＢが元の状態に戻り、シール部ｓは再びシールされる。
【００２６】
図４乃至図６は他の例を示し、容器体口頸部12の外周に上面及び外面開放の嵌合凹部24を凹設し、該嵌合凹部24に突条形成部材Ｃを嵌着固定している。本例の突条形成部材Ｃは、嵌合凹部24の上端から下端まで、口頸部12の肉厚を再現するための嵌合基部30を有し、嵌合基部30の外周上下方向所定位置に係止用突条14a を一体に形成している。また、キャップ周壁20は内周下部を大径部20b に形成し、大径部20b の上下方向所定位置に係合用突条22を一体に突設して構成している。更に、大径部20b の内面の下端から上端部には周方向複数の通気用凹部25を凹設し、この通気用凹部25により係止用突条14と係合用突条22との係合部位の上下を連通可能に構成し、この連通部位の上下に於ける口頸部12と周壁20とに隙間を設けて通気路ｐを構成している。その他の構成は図１の例と同様であり、その作用も図５に示す如く、図２の場合と実質的に同様であるため説明を省略する。
【００２７】
図７は更に他の例を示し、図１の例に於いて、通気路ｐを構成する通気用凹部25a を、突条形成部材Ｃに設けた例を示す。本例では、口頸部12の外周に一体に係止用突条14を突設し、また、突条形成部材Ｃの係合用突条22a 上面から大径部20b 内面に亘り周方向複数の通気用凹部25a を凹設している。その他の構成は図１の例と同様であり、その作用も実質的に同様であるため、説明を省略する。
【００２８】
図８は更に他の例を示し、図２の例に於いて、通気路ｐを構成する通気用凹部15a を、突条形成部材Ｃに設けた例を示す。本例では、突条形成部材Ｃの係止用突条14a 下面から側面に亘り周方向複数の通気用凹部15a を凹設している。また、キャップＢは、周壁20の上部を大径部20b に下端部を小径部20a に形成し、小径部20a 内面に一体に係合用突条22を突周設している。その他の構成は図２の例と同様であり、その作用も実質的に同様であるため、説明を省略する。
【００２９】
図９は更に他の例を示し、シール部ｓの形態が相違する例を示す。本例では、キャップＢの頂壁21裏面からシール突条26を一体に突設し、該シール突条26を口頸部12頂面に圧接することでシール部ｓとしている。また、シール部ｓの構成としては、本例や図１に示す例の他に、図10に示す如く、キャップ頂壁21の裏面周縁部に垂設して口頸部12の内周上端部に気密、液密に嵌合させたシール筒23で構成する第１シール部s1と、キャップ頂壁21の裏面周縁部に垂設したシール突条26を口頸部12上面に圧接した第２シール部s2とで構成しても良く、或いは図11に示す如く、キャップ頂壁21裏面に嵌着するとともに、下面を口頸部12頂面に圧接したパッキン28を設けてシール部ｓを構成しても良い。尚、これらのシール部ｓは他の例にも当然適用でき、また、シール部ｓの構成として、口頸部12の頂部とキャップ頂壁21との間を気密，液密にシールすることができ、しかもキャップＢが僅かに上昇することでシールが解除される構成のものであれば種々の形態のものを採用することができる。
【符号の説明】
【００３０】
１…圧力調整容器
Ａ…容器体
10…胴部，11…上向き段部，12…口頸部，13…環状の凹部，14…係止用突条，
14a …係止用突条，15…通気用凹部，15a …通気用凹部，16…嵌合凹部
Ｂ…キャップ
20…周壁，20a …小径部，20b …大径部，21…頂壁，22…係合用突条，
22a …係合用突条，23…シール筒，24…嵌合凹部，25…通気用凹部，
25a …通気用凹部，26…シール突条，28…パッキン
Ｃ…突条形成部材
30…嵌合基部，30a …肉厚部，30b …肉薄部
ｓ…シール部
s1…第１シール部，s2…第２シール部
ｐ…通気路
【図１】
0005424249.tif 000002
【図２】
0005424249.tif 000003
【図３】
0005424249.tif 000004
【図４】
0005424249.tif 000005
【図５】
0005424249.tif 000006
【図６】
0005424249.tif 000007
【図７】
0005424249.tif 000008
【図８】
0005424249.tif 000009
【図９】
0005424249.tif 000010
【図１０】
0005424249.tif 000011
【図１１】
0005424249.tif 000012